(57)【要約】【課題】古い建築物の外壁補修工事における安全作業と手間を軽減し、作業時間と作業コストを減少させることである。【解決手段】対向した一対の長さ方向壁及び対向した一対の横断方向壁を有する平面視で細長い矩形の上部分（１２）と、上部分の長さ方向壁に対して平行に長さ方向壁から所定距離変位した下方の位置に配置され、対向した一対の長さ方向壁及び対向した一対の横断方向壁を有する平面視で矩形の下部分（１４）と、上部分と下部分とを接続する遷移部分（１６）とを備え、上部分の長さ方向壁の上縁の各々に、折り返し部（１２ｅ、１２ｆ）がそれぞれ設けられており、上部分の横断方向壁の上縁に沿った側部内側の各々に、パイプ部材を通すための３つのリング状支持部（１２ｇ１〜１２ｇ３、１２ｈ１〜１２ｈ３）がそれぞれ設けられており、上部分の横断方向壁の間の距離Ｘ１　が、隣接する足場支柱間の間隔よりも僅かに小さくなるように選定されている。【選択図】　図１
2004084452.tif 000002
【特許請求の範囲】
【請求項１】
対向した外壁側の長さ方向壁及び足場側の長さ方向壁と前記長さ方向壁と直交する対向した一対の横断方向壁とを有する平面視で細長い矩形の上部分と、
前記上部分の前記長さ方向壁に対して平行に前記足場側の長さ方向壁から所定距離変位した下方の位置に配置され、対向した一対の長さ方向壁及び前記長さ方向壁と直交する対向した一対の横断方向壁を有する平面視で矩形の下部分と、
前記上部分の外壁側の長さ方向壁の下縁と前記下部分の対応する長さ方向壁の上縁とを接続する壁、前記上部分の足場側の長さ方向壁の下縁と前記下部分の対応する長さ方向壁の上縁とを接続する壁、前記上部分の一方の横断方向壁の下縁と前記下部分の対応する横断方向壁の上縁とを接続する壁、及び前記上部分の他方の横断方向壁の下縁と前記下部分の対応する横断方向壁の上縁とを接続する壁を有する遷移部分とを備え、
前記上部分の前記長さ方向壁の上縁の各々に、折り返し部がそれぞれ設けられており、前記上部分の前記横断方向壁の上縁に沿った側部内側の各々に、パイプ部材を通すための３つのリング状支持部がそれぞれ設けられ、前記上部分の前記横断方向壁の間の距離が、隣接する足場支柱間の間隔と同等或いは僅かに小さくなるように選定されていることを特徴とする外壁補修工事用安全シュート。
【請求項２】
前記下部分の前記横断方向壁間の距離が、前記上部分の前記横断方向壁間の距離の１／８〜１／１０であり、前記下部分の前記長さ方向壁間の距離が、前記上部分の前記長さ方向壁間の距離の１／２〜１／３であることを特徴とする請求項１に記載の外壁補修工事用安全シュート。
【請求項３】
前記足場側の長さ方向壁の上縁が、前記横断方向壁及び前記外壁側の長さ方向壁の上縁よりも僅かに下方に位置決めされていることを特徴とする請求項１又は２に記載の外壁補修工事用安全シュート。
【請求項４】
外壁補修工事を行う建築物の外壁の前面に足場を配置する段階と、
前記請求項１から３までのいずれか１項に記載の外壁補修工事用安全シュートを準備する段階と、
外壁材を剥がそうとする高さにおける足場の床部分において、足場の支柱から建築物の外壁まで延びるパイプ部材に、前記外壁補修工事用安全シュートのリング状支持部の全部又は一部を通し、前記外壁補修工事用安全シュートの下部分を、足場の一段下の部分に置いた容器内に入れることによって、前記外壁補修工事用安全シュートを設置する段階と、
を含むことを特徴とする外壁補修方法。
【発明の詳細な説明】
【０００１】
【発明の属する技術分野】
本発明は一般に、建築物の外壁を改修する際における外壁補修工事に用いる安全シュート及び外壁補修方法に関する。より詳細には、本発明は、作業の手間を軽減し、安全な作業を可能とし、作業時間と作業コストを減少させる外壁補修工事用安全シュート及び外壁補修方法に関する。
【０００２】
【従来の技術】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していた。
【０００３】
【発明が解決しようとする課題】
しかしながら、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなっている。また、従来の作業方法では、補修工事の際に剥がした外壁材を誤って地上に落下させることがあり、安全上問題があった。さらに、養生や清掃に時間がかかり、煩雑な作業を強いられるという不都合がある。
【０００４】
したがって、本発明は、古い建築物の外壁補修工事における手間を軽減し、作業時間と作業コストを減少させる安全な外壁補修工事用安全シュート及び外壁補修方法を提供することを目的とする。
【０００５】
【課題を解決するための手段】
本願請求項１に記載の外壁補修工事用安全シュートは、対向した外壁側の長さ方向壁及び足場側の長さ方向壁と前記長さ方向壁と直交する対向した一対の横断方向壁とを有する平面視で細長い矩形の上部分と、前記上部分の前記長さ方向壁に対して平行に前記足場側の長さ方向壁から所定距離変位した下方の位置に配置され、対向した一対の長さ方向壁及び前記長さ方向壁と直交する対向した一対の横断方向壁を有する平面視で矩形の下部分と、前記上部分の外壁側の長さ方向壁の下縁と前記下部分の対応する長さ方向壁の上縁とを接続する壁、前記上部分の足場側の長さ方向壁の下縁と前記下部分の対応する長さ方向壁の上縁とを接続する壁、前記上部分の一方の横断方向壁の下縁と前記下部分の対応する横断方向壁の上縁とを接続する壁、及び前記上部分の他方の横断方向壁の下縁と前記下部分の対応する横断方向壁の上縁とを接続する壁を有する遷移部分とを備え、前記上部分の前記長さ方向壁の上縁の各々に、折り返し部がそれぞれ設けられており、前記上部分の前記横断方向壁の上縁に沿った側部内側の各々に、パイプ部材を通すための３つのリング状支持部がそれぞれ設けられ、前記上部分の前記横断方向壁の間の距離が、隣接する足場支柱間の間隔と同等或いは僅かに小さくなるように選定されていることを特徴とするものである。
【０００６】
本願請求項２に記載の外壁補修工事用安全シュートは、前記請求項１のシュートにおいて、前記下部分の前記横断方向壁間の距離が、前記上部分の前記横断方向壁間の距離の１／８〜１／１０であり、前記下部分の前記長さ方向壁間の距離が、前記上部分の前記長さ方向壁間の距離の１／２〜１／３であることを特徴とするものである。
【０００７】
本願請求項３に記載の外壁補修工事用安全シュートは、前記請求項１又は２のシュートにおいて、前記足場側の長さ方向壁の上縁が、前記横断方向壁及び前記外壁側の長さ方向壁の上縁よりも僅かに下方に位置決めされていることを特徴とするものである。
【０００８】
本願請求項４に記載の外壁補修方法は、外壁補修工事を行う建築物の外壁の前面に足場を配置する段階と、前記請求項１から３までのいずれか１項に記載の外壁補修工事用安全シュートを準備する段階と、外壁材を剥がそうとする高さにおける足場の床部分において、足場の支柱から建築物の外壁まで延びるパイプ部材に、前記外壁補修工事用安全シュートのリング状支持部の全部又は一部を通し、前記外壁補修工事用安全シュートの下部分を、足場の一段下の部分に置いた容器内に入れることによって、前記外壁補修工事用安全シュートを設置する段階とを含むことを特徴とするものである。
【０００９】
【発明の実施の形態】
次に、図面を参照して、本発明の好ましい実施の形態について詳細に説明する。図１〜図４において全体として参照符号１０で示される本発明の好ましい実施の形態に係る外壁補修工事用安全シュートは、対向した一対の長さ方向壁１２ａ、１２ｂ及び該長さ方向壁１２ａ、１２ｂと直交する対向した一対の横断方向壁１２ｃ、１２ｄを有する平面視で細長い矩形の上部分１２を備えている。
【００１０】
上部分１２の長さ方向壁１２ａと１２ｂの上縁の各々には、図１に最も良く示されるように、折り返し部１２ｅと１２ｆがそれぞれ設けられている。また、上部分１２の横断方向壁１２ｃと１２ｄの上縁に沿った側部内側の各々には、３つのリング状支持部１２ｇ１、１２ｇ２、１２ｇ３と１２ｈ１、１２ｈ２、１２ｈ３がそれぞれ設けられている。リング状支持部１２ｇ１〜１２ｇ３、１２ｈ１〜１２ｈ３は、後述するように、パイプ部材が通されるようになっている。長さ方向壁１２ｂの側の最も端のリング状支持部１２ｇ１、１２ｈ１は、隣接する１２ｇ２、１２ｈ２と反対側の端部を閉鎖してもよい。好ましくは、図１に示されるように、長さ方向壁１２ａの上縁は、長さ方向壁１２ｂ及び横断方向壁１２ｃ、１２ｄの上縁よりも僅かに下方に位置決めされている。これは、パイプ部材のリング状支持部への挿入を容易にするためである。なお、上部分１２の上面と下面は、開放している。
【００１１】
外壁補修工事用安全シュート１０の上部分１２の横断方向壁１２ｃ、１２ｄ間の距離Ｘ１　は、足場の隣接する支柱間の間隔Ｗ１　（図７参照）と同等或いは僅かに小さくなるように選定されている。
【００１２】
外壁補修工事用安全シュート１０は又、上部分１２の長さ方向壁１２ａ、１２ｂに対して平行に長さ方向壁１２ａから所定距離Ｙ（図３参照）変位した下方の位置に配置され、対向した一対の長さ方向壁１４ａ、１４ｂ及び該長さ方向壁１４ａ、１４ｂと直交する対向した一対の横断方向壁１４ｃ、１４ｄを有する平面視で矩形の下部分１４を備えている。好ましくは、前記所定距離Ｙは、４００ｍｍ〜８００ｍｍであり、最も好ましくは５００ｍｍである。また、好ましくは、下部分１４の横断方向壁１４ｃ、１４ｄ間の距離Ｚ１　は、上部分１２の横断方向壁１２ｃ、１２ｄ間の距離Ｘ１　の約１／８〜約１／１０となるように選定され、下部分１４の長さ方向壁１４ａ、１４ｂ間の距離Ｚ２　は、上部分１２の長さ方向壁１２ａ、１２ｂ間の距離Ｘ２　の約１／２〜約１／３とするように選定されている。なお、下部分１４の上面と下面は、開放している。
【００１３】
外壁補修工事用安全シュート１０は更に、上部分１２と下部分１４とを接続する遷移部分１６を備えている。すなわち、遷移部分１６は、上部分１２の長さ方向壁１２ａの下縁と下部分１４の対応する長さ方向壁１４ａの上縁とを接続する壁１６ａ、上部分１２の長さ方向壁１２ｂの下縁と下部分１４の対応する長さ方向壁１４ｂの上縁とを接続する壁１６ｂ、上部分１２の横断方向壁１２ｃの下縁と下部分１４の対応する横断方向壁１４ｃの上縁とを接続する壁１６ｃ、及び上部分１２の横断方向壁１２ｄの下縁と下部分１４の対応する横断方向壁１４ｄの上縁とを接続する壁１６ｄを有する。
【００１４】
上述の構成により、外壁補修工事用安全シュート１０は、下部が偏心したほぼ漏斗状の形状を有している。なお、上部分１２、下部分１４、及び遷移部分１６は、適当な織布又は不織布材料で形成されている。
【００１５】
次に、図５〜図７を参照して、以上のように構成された外壁補修工事用安全シュート１０の使用について説明する。まず、外壁補修工事を行う建築物の外壁の前面に足場を配置する。そして、外壁材（例えば、タイル）を剥がそうとする高さにおける足場の床部分において、足場の支柱から建築物の外壁まで延びるパイプ部材に、図５（ａ）に示されるように、外壁補修工事用安全シュート１０のリング状支持部１２ｇ１〜１２ｇ３、１２ｈ１〜１２ｈ３を通す（図７（ａ）参照）。この際、シュート１０の上部分１２の横断方向壁１２ｃ、１２ｄ間の距離Ｘ１　が足場の隣接する支柱間の間隔Ｗ１　と同等或いは僅かに小さくなるように選定され（これにより、長さ方向壁１２ａ、１２ｂの上縁がピンと張る）、かつ、上部分１２の長さ方向壁１２ｂの上縁に折り返し部１２ｆが設けられており（これにより、長さ方向壁１２ｂの上縁に剛性が付加される）、更に、パイプ部材の先端を外壁に押しつけることによって、シュート１０の上部分１２の長さ方向壁１２ｂの上縁は、建築物の外壁との間に隙間が実質的に形成されないように、建築物の外壁にほぼぴったりに密接し、剥がした外壁材が建築物と外壁との間の隙間から落下するのを防止することができる。なお、足場と建築物の外壁との間隔が狭い場合には、図５（ｂ）に示されるように、パイプ部材にリング状支持部１２ｇ３、１２ｈ３を通さないことにより、シュート１０の幅を調整することができる（図７（ｂ）参照）。シュート１０の下部分１４は、足場の一段下の部分に置いた容器内に入れる。剥がした外壁材は、シュート１０の上部分１２に入れると、シュート１０内を通って容器に溜められる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
【発明の効果】
本発明によれば、剥がした外壁材をシュートの上部分に投入すると、撤去材は足場の一段下の部分に置いた容器内に確実に入るので、足場の周囲に安全ネットを張りめぐらす必要がなくなり、手間と時間が削減されるとともに、作業コストを減少させることができる。また、剥がした撤去材を誤って落下させるおそれがなくなり、安全な作業環境を提供することができる。さらに、本発明のシュートは、織布又は不織布で形成されているので、不使用時には折り畳んでしまっておくことができ、大きな保管スペースを必要としない。
【図面の簡単な説明】
【図１】本発明の好ましい実施の形態に係る外壁補修工事用安全シュートの斜視図である。
【図２】図１の外壁補修工事用安全シュートの正面図である。
【図３】図１の外壁補修工事用安全シュートの側面図である。
【図４】図１の外壁補修工事用安全シュートの平面図である。
【図５】リング状支持部にパイプ部材が通されている状態を示した斜視図である。
【図６】図１の外壁補修工事用安全シュートの使用状態を示した側面図である。
【図７】図１の外壁補修工事用安全シュートの使用状態を示した平面図である。
【符号の説明】
１０　外壁補修工事用安全シュート
１２　上部分
１４　下部分
１６　遷移部分
【図１】
2004084452.tif 000003
【図２】
2004084452.tif 000004
【図３】
2004084452.tif 000005
【図４】
2004084452.tif 000006
【図５】
2004084452.tif 000007
【図６】
2004084452.tif 000008
【図７】
2004084452.tif 000009